(57)【要約】      （修正有）【課題】組み付けに必要とする作業量と時間を短縮可能な椅子を提供する。【解決手段】骨組１は、シート２が組み付けられている二つの脚組１１、背もたれ３が組み付けられている二本の柱１２、および、二つの脚組１１と二つの柱１２との間に設けられている横棒１３を有する。二つの脚組１１は上側に形成されている棒１１１を有する。二つの水平棒１１は、互いに対向する方向に突出している支持突起１１２を有する。二つの柱１２は、互いに対向する方向に突出している組付突起１２１を有する。シートは、棒１１１に対応する位置および横棒１３に対応する位置に棒１１１および横棒１３を収容可能な長溝２０が形成されている。背もたれ３は、柱１２に対応する位置に柱１２を挿入可能な挿孔が形成されており、挿孔の入口に柱１２の組付突起１２１を収容可能な収容溝が形成されている。【選択図】図１
0003184466.tif 000002
【実用新案登録請求の範囲】
【請求項１】
シートと一背もたれと骨組とを備える椅子であって、
前記骨組は、前記シートが組み付けられている二つの脚組、前記背もたれが組み付けられている二本の柱、および、二つの前記脚組と二つの前記柱との間に設けられている横棒を有し、
二つの前記脚組は上側に形成されている水平棒を有し、
二つの前記水平棒は、互いに対向する方向に突出している支持突起を有し、
二つの前記柱は、互いに対向する方向に突出している組付突起を有し、
前記横棒は、前記脚組側に突出している組付突起を有し、
前記シートは、前記水平棒に対応する位置および前記横棒に対応する位置に前記水平棒および前記横棒を収容可能な長溝が形成されており、
前記長溝は、前記支持突起に対応する位置に前記支持突起を収容可能な溝孔が形成されており、前記横棒の前記組付突起に対応する位置に、前記横棒の前記組付突起を収容可能な位置決め孔が形成されており、
前記背もたれは、前記柱に対応する位置に前記柱を挿入可能な挿孔が形成されており、前記挿孔の入口に前記柱の前記組付突起を収容可能な収容溝が形成されている椅子。
【請求項２】
前記横棒の前記組付突起には組付孔が形成されていることを特徴とする請求項１記載の椅子。
【請求項３】
前記組付柱の前記組付突起には組付孔が形成されていることを特徴とする請求項１記載の椅子。
【請求項４】
前記シートは、中空のフレーム、および、当該フレームに設けられている網布を有し、
前記フレームは、前記網布が嵌め込まれている溝部が形成されていることを特徴とする請求項１記載の椅子。
【請求項５】
前記背もたれは、中空のフレーム、および、当該フレームに設けられている網布を有し、
前記フレームは、前記網布が嵌め込まれている溝部が形成されていることを特徴とする、請求項１記載の椅子。
【請求項６】
前記シートは、前記溝部に収容され前記網布を前記フレームに固定する位置決め部材をさらに有することを特徴とする請求項４記載の椅子。
【請求項７】
前記背もたれは、前記溝部に収容され前記網布を前記フレームに固定する位置決め部材をさらに有することを特徴とする請求項５記載の椅子。
【考案の詳細な説明】
【技術分野】
【０００１】
本考案は椅子に関する。
【背景技術】
【０００２】
一般の椅子は骨組、シート、および背もたれにより組み付けられている。椅子の種類はシートと背もたれの材質により区別される。伝統の木製椅子は木板のシートと背もたれを有する。その中には弾性具または網布が付けられている木質シートと木質背もたれがある。その他、メタル製椅子はメタル板、シート、およびメタル板背もたれを有する。また、プラスチック製背もたれを有する非メタル製椅子も知られている。弾性具または網布が設けられているメタル製または非メタル製のシートおよび背もたれ等様々な椅子がある。
【考案の概要】
【考案が解決しようとする課題】
【０００３】
骨組とシートと背もたるとの組み付けは、ねじが使用されている。このような方法は、組み合せが複雑であり時間がかかる。よって、製造コストが高くなる。また、ねじまたは他の部品が外に露出し、椅子の全体の外観を影響する。
【０００４】
本考案は、上述の問題に鑑みてなされたものであり、組み付けに必要とする作業量と時間を短縮可能な椅子を提供する。
【課題を解決するための手段】
【０００５】
本考案の椅子は、シートと一背もたれと骨組とを備える。骨組は、シートが組み付けられている二つの脚組、背もたれが組み付けられている二本の柱、および、二つの脚組と二つの柱との間に設けられている横棒を有する。二つの脚組は上側に形成されている水平棒を有する。二つの水平棒は、互いに対向する方向に突出している支持突起を有する。二つの柱は、互いに対向する方向に突出している組付突起を有する。横棒は、脚組側に突出している組付突起を有する。シートは、水平棒に対応する位置および横棒に対応する位置に水平棒および横棒を収容可能な長溝が形成されている。長溝は、支持突起に対応する位置に支持突起を収容可能な溝孔が形成されており、横棒の組付突起に対応する位置に、横棒の組付突起を収容可能な位置決め孔が形成されている。背もたれは、柱に対応する位置に柱を挿入可能な挿孔が形成されており、挿孔の入口に柱の組付突起を収容可能な収容溝が形成されている。
【０００６】
これにより、組み付けに必要とする作業量と時間を短縮することができる。また、全体外観上、椅子骨組とシートと背もたれの組み付け具が見えない様にすることができる。
特に、シートは、固定の部品で椅子骨組に組み付けられ、背もたれは、二個の定位具で椅子骨組に組み付けられ、全体的に椅子骨組の連桔箇所が見えない。
【０００７】
本考案の椅子は、部品の点数が少くない。即ち骨組、シート、および背もたせサン部分により構成される。よって、その組み合せにねじを殆ど使用せず、凹みや突起などの嵌り合せにより組み付け可能なので、所要の組み付け時間が短縮される。よって、製造コストが安くなる。また、各部品の組み付け具が見えないので椅子の外観がよくなる。
【図面の簡単な説明】
【０００８】
【図１】本考案の第一実施形態による椅子を示す分解斜視図である。
【図２】本考案の第一実施形態による椅子を示す斜視図である。
【図３】本考案の第一実施形態による椅子の背もたれを示す平面図である。
【図４】本考案の第一実施形態による椅子の背もたれを示す側面図である。
【図５】図３のＧ−Ｇ線断面図である。
【図６】図２のＡ部分の断面図である。
【図７】図２のＢ部分の断面図である。
【図８】本考案の第一実施形態による椅子のシートを示す側面図である。
【図９】本考案の第一実施形態による椅子のシートを示す平面図である。
【図１０】本考案の第一実施形態による椅子のシートを示す側面図である。
【図１１】本考案の第一実施形態による椅子のシートを示す側面図である。
【図１２】図９のＨ−Ｈ線の断面図である。
【図１３】図９のＪ−Ｊ線の断面図である。
【図１４】図２のＤ部分の断面図である。
【図１５】図２のＥ部分の断面図である。
【図１６】図２のＦ部分の断面図である。
【図１７】本考案の第二実施形態による椅子を示す分解斜視図である。
【図１８】本考案の第二実施形態による椅子を示す斜視図である。
【図１９】図１８のＫ部の断面図である。
【図２０】図１８のＬ部の断面図である。
【考案を実施するための形態】
【０００９】
本考案の実施形態を図面に基づいて説明する。
（第一実施形態）
本考案の第一実施形態を図１〜１６に示す。
図１〜図１６に示すように、椅子は、骨組１とシート２と背もたれ３とを備える。骨組１は、図２に示すように、シート２を組み付ける二つの脚組１１と、背もたれ３を組み付ける二本の柱１２と、二つの脚組１１と二本の柱１２との間に設けられている横棒１３とを有する。シート２を支える為に、二つの脚組１１の上部には棒１１１を有する。棒１１１の内側には、シート２の両側を支持する支持突起１１２が形成されている。二本の柱１２の内側には組付突起１２１が形成されている。この組付突起１２１には貫通孔１２２が形成されている。横棒１３のシート２側には組付突起１３１が形成されている。この組付突起１３１は貫通孔１３２を有する。
【００１０】
図８から図１６に示すように、シート２の両側には長溝２０が形成されている。長溝２０は、図１２、１４、１５に示すように、骨組１の脚組１１の上部の棒１１１を隠すことが可能に形成されている。長溝２０には支持突起１１２を収容可能な溝孔２１が形成されている。また、シート２の後側には、図１１、１３、１６に示すように、骨組１の横棒１３を収容可能な長溝２０が形成されている。シート２の後側端の長溝２０の中には、横棒１３の組付突起１３１を収容する位置決め孔２２が設けられている。又、位置決め孔２２の底面には固定部材５（ねじなど）をねじこむ可能な貫通孔２２１が形成されている。
【００１１】
図３から図７に示すように、背もたれ３は、左右両端の下部に挿孔３１が形成されている。挿孔３１には骨組１の柱１２が挿し込まれている。挿孔３１の入口には、柱１２の組付突起１２１が形成されている。組付突起１２１には収容溝３２が形成されている。この収容溝３２の後壁には固定部材５（ねじなど）がねじ込む可能な貫通孔３２１が図３と図４に示すよう形成されている。背もたれ３は骨組１に組み付けられ、柱１２は完全に隠されていて、外から見えなくなる。
【００１２】
（第二実施形態）
本考案の第二実施形態を図１７から図２０に基づいて説明する。
図１７から図２０に示すように、椅子は、骨組１、シート２、背もたれ３、ならびにシート２および背もたれ３を被覆する網布４を備える。シート２は、図２０に示すように、中空のフレーム、および、フレームに設けられている網布４を有する。シート２のフレームには溝部２３が設けられている。背もたれ３もシート２と同じ様に、図１９に示すように、中空のフレーム、および、フレームに設けられている網布４を有する。背もたれ３のフレームには凹み溝３３が設けられている。
【００１３】
図１９と図２０に示すように、溝部２３の中には、網布４固定するプラスチック定位部材６が設けられている。プラスチック定位部材６は、網布４の縁部をおさえるよう溝部２３の中に嵌め込まれている。背もたれ３の凹み溝３３の中にも同じように、プラスチック定位部材６が設けれている。プラスチック定位部材６は、網布４の縁部をおさえるように溝部３３の中に嵌め込まれている。プラスチック定位部材６の断面は、四角形であり、網布４の縁部を直接におさえる。組み付け時、プラスチック定位部材６を先に網布４の周辺に合わせてから、プラスチック定位部材６を溝部２３および溝部３３の中に押し込んで、固定してもよい。これでシート２の網布４の中央部が力を受けて、その縁部が中央に引かれると、プラスチック定位部材６を包んでいる網布４の上部がプラスチック定位部材６を下方向におさえ付け、プラスチック定位部材６が上方向に移動することが抑制される。よって、網布４の縁部が溝部２３および溝部３３から脱出することを抑制することができる。
【００１４】
本実施形態の椅子を組み合わせる時、シート２が骨組１に水平に組み付けられるように、シート２の左右両側端にある長溝２０に骨組１の棒１１１を収容する。同時に棒１１１の内側にある支持突起１１２を長溝２０の中の溝孔２１に差し込む。それからシート２の後側の長溝２０に骨組１の横棒１３を収容する。横棒１３の組付突起１３１をシート２後側の長溝２０の位置決め孔２２に挿込む。図１６に示すように、固定部材５を骨組１の横棒１３の組付突起１３１に設ける。背もたれ３を上から骨組１の柱１２に差し込む。図７に示すように、固定部材５により背もたれ３を骨組１の柱１２の組付突起１３１に固定する。これにより、背もたれ３が骨組１に組み付けられる。
【符号の説明】
【００１５】
１：骨組、
１１：脚組、
１１１：棒（水平棒）、
１１２：支持突起、
１２：柱、
１２１：組付突起、
１２２：組付孔、
１３：横棒、
１３１：組付突起、
１３２：組付孔、
２：シート、
２０：長溝、
２１：溝孔、
２２：位置決め孔、
２２１：貫通孔、
２３：溝部、
３：背もたれ、
３１：挿孔、
３２：収容溝、
３２１：貫通孔、
３３：溝部、
４：網布、
５：固定部材、
６：プラスチック定位部材（位置決め部材）。
【図１】
0003184466.tif 000003
【図２】
0003184466.tif 000004
【図３】
0003184466.tif 000005
【図４】
0003184466.tif 000006
【図５】
0003184466.tif 000007
【図６】
0003184466.tif 000008
【図７】
0003184466.tif 000009
【図８】
0003184466.tif 000010
【図９】
0003184466.tif 000011
【図１０】
0003184466.tif 000012
【図１１】
0003184466.tif 000013
【図１２】
0003184466.tif 000014
【図１３】
0003184466.tif 000015
【図１４】
0003184466.tif 000016
【図１５】
0003184466.tif 000017
【図１６】
0003184466.tif 000018
【図１７】
0003184466.tif 000019
【図１８】
0003184466.tif 000020
【図１９】
0003184466.tif 000021
【図２０】
0003184466.tif 000022